(57)【要約】【課題】空気調和機において負荷の種類が多彩化していることにより、電源の定格出力電力が同等であるにもかかわらず、短時間の最大出力電力の増加に対応するために、ＡＣ／ＤＣコンバータの部品の大型化、コスト増加という課題がある。【解決手段】短時間しか動作しない通信用赤外ＬＥＤ１６や２方弁１４等の重負荷の駆動時に、他のいくつかの負荷への出力を一時的に停止させ、重負荷の駆動が終了後に復帰させることにより、過渡的な最大出力電力の増加を抑制するように負荷群の制御を行う。【選択図】図６
2005147577.tif 000002
【特許請求の範囲】
【請求項１】
ＡＣ電源からＤＣ出力を作り、出力を複数持つＡＣ／ＤＣコンバータと、前記ＡＣ／ＤＣコンバータの各出力を電源とする複数の負荷群と、前記負荷の駆動を制御する制御部から成り、駆動時に大きな電力を必要とする１つの重負荷を駆動させるとき、それ以外の負荷群のいくつかを停止させる制御を行うことを特徴とする空気調和機。
【請求項２】
重負荷が電磁弁コイルであり、前記電磁弁コイルへの通電を一定期間に限定し、通電終了後前記電磁弁コイルを駆動状態に保持する手段を設けたことを特徴とする請求項１に記載の空気調和機。
【請求項３】
駆動状態を保持する手段が冷媒であることを特徴とする請求項２に記載の空気調和機。
【請求項４】
負荷群が同一の出力を電源とすることを特徴とする請求項１から請求項３のいずれか１項に記載の空気調和機。
【発明の詳細な説明】
【技術分野】
【０００１】
本発明は、空気調和機の電源回路に関するものである。
【背景技術】
【０００２】
従来、空気調和機において室温を下げることなく除湿運転を行い、かつ冷房時の性能ロスを防止するためには、除湿用減圧装置を備えることでこれを実現している。（例えば特許文献１参照）
図１０は従来の空気調和機の室内機の一般的な電源回路ブロック図である。
【０００３】
図１０に示すように、ＡＣ電源に接続され、ＡＣ入力をＤＣ１２Ｖの出力１（以下出力１）と、ＤＣ１２Ｖの出力２（以下出力２）と、ＤＣ５Ｖの出力３（以下出力３）として出力するＡＣ／ＤＣコンバータ１０（以下コンバータ１０）と、出力１に接続される重負荷Ａと、出力２に接続される負荷Ｂおよび負荷Ｃと、出力３に接続される負荷Ｄおよび負荷Ｅと、出力３に接続され前記各種負荷を制御する制御部２０とにより構成されている。ここで重負荷Ａは特許文献１の除湿用減圧装置のスライド弁回転軸の駆動源（段落２５記載）に相当している。
【特許文献１】特開平５−３４６２７５号公報
【発明の開示】
【発明が解決しようとする課題】
【０００４】
しかしながら前記従来の構成では、冷房運転時には負荷Ａは駆動せず消費電力は０であるが、除湿運転時に前記重負荷Ａを駆動するためには一時的にではあるが、重負荷Ａの電力が加算され大きな電力が必要となり、それによってコンバータ１０の最大出力電力が大きくならざるを得ない。これは電源構成部品の大型化につながり、コストも高くなるという課題を有している。それに反し、近年では製品の小型化・低コスト化が進んでおり、構成される電源回路でも同じ事が要求されている。
【０００５】
本発明は前記従来の課題を解決するものであり、構成部品の小型化、コスト低減を目的とするものである。
【課題を解決するための手段】
【０００６】
前記従来の課題を解決するために、本発明の空気調和機は、重負荷の動作時に他の負荷への出力を一時的に停止させるよう制御するものである。
【０００７】
これによって、ＡＣ／ＤＣコンバータの出力で駆動される負荷への通電を、重負荷の駆動時など、負荷の増減によって制御することにより、ＡＣ／ＤＣコンバータの最大出力電力を低減することが出来、その結果構成部品を小型化することで、省スペース化、コスト低減を図ることが出来る。
【発明の効果】
【０００８】
本発明の空気調和機は、電源回路の構成部品を小型化し、コスト低減をすることができる。
【発明を実施するための最良の形態】
【０００９】
第１の発明は、駆動時に大きな電力を必要とする１つの重負荷を駆動させるとき、それ以外の負荷群のいくつかを停止させる制御を行うことにより、ＡＣ／ＤＣコンバータの最大出力電力の低減を行うことができ、これにより構成部品の小型化、それに伴う省スペー
ス化、低コスト化を実現する
第２の発明は、特に第１の発明において重負荷が電磁弁コイルである場合に、電磁弁コイルへの通電を一定期間に限定しその他の負荷を停止させ、通電終了後前記電磁弁コイルを駆動状態に保持する手段を設け、その他の出力を再度駆動させるよう制御することにより、重負荷の駆動状態を小さな電力で保持でき、最大出力電力を低減させることが出来る。
【００１０】
第３の発明は、特に第２の発明で駆動状態を保持する手段を冷媒の圧力で行うことにより、重負荷の駆動状態を電力を消費せずに保持することができる。
【００１１】
第４の発明は、特に第１から３のいずれか１つの発明において、ＡＣ／ＤＣコンバータ出力段をある出力に統合し、重負荷の動作時に他の負荷への出力を一時的に停止させるよう制御することにより、構成部品の減少、プリント基板の配線パターンも統合でき、省スペース化を行うことが出来る。
【００１２】
以下、本発明の実施の形態について、図面を参照しながら説明する。なお、この実施の形態によって本発明が限定されるものではない。
【００１３】
（実施の形態１）
図１は本発明の実施の形態１における空気調和機の室内機の電源回路ブロック図で、図２は各電源出力の制御シーケンス図である。
【００１４】
図１に示すように、ＡＣ／ＤＣコンバータ４０（以下コンバータ４０）はＡＣ電源に接続され、ＡＣ入力をＤＣ１２Ｖの出力３１（以下出力３１）とＤＣ５Ｖの出力３２（以下出力３２）と２つめのＤＣ１２Ｖの出力３４（以下出力３４）として出力する。出力３１には負荷として、空気清浄器１１と、風の吹き出し方向を制御するステッピングモータ１３（以下ＳＴＭ１３）と、リモコンとの通信用赤外ＬＥＤ１６（以下赤外ＬＥＤ１６）が接続される。また出力３４には室外機への送電用のリレーの２次側コイル１２（以下リレーコイル１２）が接続され、出力３２には前記各種負荷を制御する制御部５０が接続されている。
【００１５】
以上のように構成された空気調和機について、以下その動作、作用を説明する
通常の冷房運転時には、出力３１の出力電力は、コンバータ４０の定格出力電力の４割程度を占める。しかしながら、赤外ＬＥＤ１６を駆動させるためには、瞬間的にではあるが単独でコンバータ４０の定格出力電力の７割程度が必要となっている。図２において、初め空気清浄器１１とＳＴＭ１３およびリレーコイル１２が駆動され、赤外ＬＥＤ１６は停止している。次にＡから赤外ＬＥＤ１６の駆動制御に入り、制御部５０からの信号により、まず空気清浄器１１とＳＴＭ１３を停止させる。一定時間の後、Ｂで赤外ＬＥＤ１６を駆動し、通信終了後Ｃで停止させ、Ｄで空気清浄器１１とＳＴＭ１３の通電を再度行う、という制御を行うことで、駆動時に大きな電力を必要とする重負荷である赤外ＬＥＤ１６を駆動する。この間、空気調和機の動作に必要なリレーコイル１２は駆動のままにしている。以上のような制御を行うことにより、コンバータ４０の最大出力電力を低減させることができ、構成部品を小型化出来ることで、省スペース化、コスト低減を図ることが出来る。
【００１６】
（実施の形態２）
図３は本発明の実施の形態２における空気調和機の室内機の電源回路ブロック図で、図４は各電源出力の制御シーケンス図である。
図３に示すように、ＡＣ／ＤＣコンバータ４０（以下コンバータ４０）はＡＣ電源に接続され、ＡＣ入力をＤＣ１２Ｖ出力３１（以下出力３１）とＤＣ５Ｖ出力３２（以下出力３
２）と、ＤＣ３９Ｖ出力３３（以下出力３３）して出力する。出力３１には負荷として、空気清浄器１１と、室外機への送電用のリレーの２次側コイル１２（以下リレーコイル１２）と、風の吹き出し方向を制御するステッピングモータ１３（以下ＳＴＭ１３）が接続される。また出力３３には、冷媒の流れを切り換える電磁弁コイルである２方弁１４が接続され、出力３２には、前記各種負荷を制御する制御部５０が接続されている。２方弁１４は特許文献１に記載の除湿用減圧装置のスライド弁回転軸の駆動源に相当しており、駆動時に大きな電力を必要とする重負荷である。
【００１７】
通常の冷房運転時には、出力３１の出力電力はコンバータ４０の定格出力電力の４割程度を占める。しかしながら、除湿運転時に前記２方弁１４を駆動するためには単独でコンバータ４０の定格出力電力の７割程度の電力が必要となっている。そこで、２方弁１４を駆動する駆動信号を、起動用駆動信号５１と、前記起動用駆動信号５１よりも小さな電流で通電を行う保持用駆動信号５２との２系統設けた。ここで起動用駆動信号５１とは、大電流を流すことの出来る回路の駆動信号であり、保持用駆動信号５２とは、小さな電流によって、駆動状態にある負荷に通電し、その駆動状態を継続させる回路の駆動信号である。図４において、Ａから除湿運転をするために２方弁１４の駆動制御に入り、制御部５０からの信号によりまず空気清浄器１１とＳＴＭ１３を停止させる。一定時間の後、Ｂで起動用駆動信号５１と保持用駆動信号５２を両方駆動する。一定時間通電した後、Ｃで起動用駆動信号５１を停止し、保持用駆動信号５２のみの通電に切り替え、Ｄで空気清浄器１１とＳＴＭ１３の通電を再度行う、という制御を行うことで、２方弁１４を駆動させる。この間、空気調和機の動作に必要なリレーコイル１２は駆動のままにしている。以上のような制御を行うことにより、コンバータ４０の最大出力電力を低減させることができ、構成部品を小型化出来ることで、省スペース化、コスト低減を図ることが出来る。
【００１８】
（実施の形態３）
図５は本発明の実施の形態３における空気調和機の室内機の電源回路ブロック図で、図６は各電源出力の制御シーケンス図である。
【００１９】
図５において、２方弁１４の駆動を駆動信号５３のみで行い、冷媒の流れる圧力により２方弁１４の駆動状態を保持し、それ以外は実施の形態２の図３と同じ構成である。
【００２０】
図６において、Ａから２方弁１４の駆動制御に入り、まず空気清浄器１１とＳＴＭ１３を停止させる。一定時間の後、Ｂで駆動信号５３を駆動し、一定時間通電した後、Ｃで駆動信号５３を停止させ、Ｄで空気清浄器１１とＳＴＭ１３の通電を再度行う、という制御を行うことで、２方弁１４に通電し、冷媒で駆動状態を保持することで駆動させる。この間、空気調和機の動作に必要なリレーコイル１２は駆動のままにしている。以上のような制御を行うことにより、コンバータ４０の最大出力電力を低減させることができ、構成部品を小型化出来ることで、省スペース化、コスト低減を図ることが出来る。
【００２１】
（実施の形態４）
図７は実施の形態４における空気調和機の室内機の電源回路ブロック図で、リレーコイル１２を駆動する出力を出力３１に統合した以外は図１と同じである。
【００２２】
コンバータ４０の負荷群への出力の制御シーケンスは、実施の形態１と同じで、図２に示され、実施の形態１と同じ制御により、構成部品の小型化、省スペース化、コスト低減を図ることが出来る。
【００２３】
（実施の形態５）
図８は実施の形態５における空気調和機の室内機の電源回路ブロック図で、２方弁１４を駆動する出力を出力３１に統合した以外は図３と同じである。
【００２４】
コンバータ４０の負荷群への出力の制御シーケンスは、実施の形態２と同じで図４に示され、実施の形態４と同じ制御により、構成部品の小型化、省スペース化、コスト低減を図ることが出来る。
【００２５】
（実施の形態６）
図９は実施の形態６における空気調和機の室内機の電源回路ブロック図で、２方弁１４を駆動する出力を出力３１に統合した以外は図５と同じである。
【００２６】
コンバータ４０の負荷群への出力の制御シーケンスは、実施の形態３と同じで図６に示され、実施の形態３と同じ制御により、構成部品の小型化、省スペース化、コスト低減を図ることが出来る。
【産業上の利用可能性】
【００２７】
以上のように、本発明にかかる空気調和機は、負荷群を最適に制御することで、最大出力電力を低減することができ、構成部品の小型化、低コスト化、省スペース化を可能にするので、動作モードにより負荷の大きさが異なり、最大負荷と最小負荷の比率の大きい負荷群を制御する電源に適用出来る。
【図面の簡単な説明】
【００２８】
【図１】本発明の実施の形態１における空気調和機の電源回路ブロック図
【図２】本発明の実施の形態１および４における空気調和機の電源出力シーケンス図
【図３】本発明の実施の形態２における空気調和機の電源回路ブロック図
【図４】本発明の実施の形態２および５における空気調和機の電源出力シーケンス図
【図５】本発明の実施の形態３における空気調和機の電源回路ブロック図
【図６】本発明の実施の形態３および６における空気調和機の電源出力シーケンス図
【図７】本発明の実施の形態４における空気調和機の電源回路ブロック図
【図８】本発明の実施の形態３における空気調和機の電源回路ブロック図
【図９】本発明の実施の形態６における空気調和機の電源回路ブロック図
【図１０】従来の空気調和機の電源回路ブロック図
【符号の説明】
【００２９】
１  ＤＣ出力１
２  ＤＣ出力２
１０  ＡＣ／ＤＣコンバータ
１１  空気清浄器
１２  リレーコイル
１３  ＳＴＭ
１４  ２方弁
１６  赤外ＬＥＤ
２０  制御部
３１  ５Ｖ出力
３２  １２Ｖ出力
３３  ３９Ｖ出力
３４  １２Ｖ出力２
４０  ＡＣ/ＤＣコンバータ
５０  制御部
５１  起動用駆動信号
５２  保持用駆動信号
５３  駆動信号
【図１】
2005147577.tif 000003
【図２】
2005147577.tif 000004
【図３】
2005147577.tif 000005
【図４】
2005147577.tif 000006
【図５】
2005147577.tif 000007
【図６】
2005147577.tif 000008
【図７】
2005147577.tif 000009
【図８】
2005147577.tif 000010
【図９】
2005147577.tif 000011
【図１０】
2005147577.tif 000012